(57)【特許請求の範囲】
【請求項１】
受信した画像データを一旦メモリに蓄積してから印字を行なうメモリ受信機能と、相手局のメモリに蓄積されている画像データをポーリング受信して印字するポーリング受信機能とを有するファクシミリ装置において、
前記受信した画像データのなかで前記ポーリング受信した画像データを優先して印字するように制御する印字制御手段
を具備することを特徴とするファクシミリ装置。
【請求項２】
受信した画像データを一旦メモリに蓄積してから印字を行なうメモリ受信機能と、相手局のメモリに蓄積されている画像データをポーリング受信して印字するポーリング受信機能とを有するファクシミリ装置において、
前記受信した画像データを受信した順序で印字する順次印字モードと、前記受信した画像データのなかで前記ポーリング受信した画像データを優先して印字するポーリング画像データ優先印字モードとのいずれか一方を設定する印字モード設定手段と、
前記印字モード設定手段により前記順次印字モードが設定されている場合は、前記受信した画像データを受信した順序で印字し、前記ポーリング画像データ優先印字モードが設定されている場合は、前記受信した画像データのなかで前記ポーリング受信した画像データを優先して印字するように制御する印字制御手段と
を具備することを特徴とするファクシミリ装置。
【請求項３】
前記印字制御手段は、
前記受信された画像データにファイル番号情報を付加して印字ジョブを生成するジョブ生成手段と、
前記印字モード設定手段により設定された印字モードに従って前記生成された印字ジョブの優先度を管理するジョブ管理手段と
を具備することを特徴とする請求項２記載のファクシミリ装置。
【請求項４】
前記ジョブ管理手段は、
前記印字モード設定手段により前記ポーリング画像データ優先印字モードが設定されている場合は、前記受信した画像データのジョブのなかで前記ポーリング受信した画像データの印字ジョブを優先して実行するように管理する
ことを特徴とする請求項３記載のファクシミリ装置。
【請求項５】
受信した画像データを一旦メモリに蓄積してから印字を行なうメモリ受信機能と、相手局のメモリに蓄積されている画像データをポーリング受信して印字するポーリング受信機能とを有するファクシミリ装置の印字制御方法において、
前記受信した画像データのなかで前記ポーリング受信した画像データを優先して印字するように制御する
ことを特徴とする印字制御方法。
【請求項６】
受信した画像データを一旦メモリに蓄積してから印字を行なうメモリ受信機能と、相手局のメモリに蓄積されている画像データをポーリング受信して印字するポーリング受信機能とを有するファクシミリ装置の印字制御方法において、
前記受信した画像データを受信した順序で印字する順次印字モードと、前記受信した画像データのなかで前記ポーリング受信した画像データを優先して印字するポーリング画像データ優先印字モードとのいずれか一方を印字モード設定手段により設定し、
前記印字モード設定手段により前記順次印字モードが設定されている場合は、前記受信した画像データを受信した順序で印字し、
前記ポーリング画像データ優先印字モードが設定されている場合は、前記受信した画像データのなかで前記ポーリング受信した画像データを優先して印字するように制御する
ことを特徴とする印字制御方法。
【請求項７】
前記受信された画像データにファイル番号情報を付加して印字ジョブを生成し、
前記設定された印字モードに従って前記生成された印字ジョブの優先度をジョブ管理手段で管理する
ことを特徴とする請求項６記載の印字制御方法。
【請求項８】
前記ジョブ管理手段は、前記印字モードがポーリング画像データ優先印字モードであると判断した場合、前記受信した画像データのジョブのなかで前記ポーリング受信した画像データの印字ジョブを優先して実行するように管理する
ことを特徴とする請求項７記載の印字制御方法。
【発明の詳細な説明】
【０００１】
【発明の属する技術分野】
本発明は、受信した画像データを一旦メモリに蓄積してから印字を行なうメモリ受信機能と、相手局のメモリに蓄積されている画像データをポーリング受信するポーリング受信機能とを有するファクシミリ装置に係わり、詳しくは、ポーリングにて受信した文書を他のメモリ受信した文書に優先して印字することができるファクシミリ装置及びその印字制御方法に関する。
【０００２】
【従来の技術】
最近、一般的なファクシミリ装置では、受信した文書を一旦装置内部のメモリに記憶してから、受信完了した順序で印字を行なうという「メモリ受信機能」を備えている。
【０００３】
このメモリ受信機能によれば、用紙切れが発生した場合や、複合機などで用いられ、コピー中にＦＡＸ受信を受ける場合に有効であった。
【０００４】
また、従来、このようなファクシミリ装置にあっては、メモリ受信機能を用いて相手局のメモリに蓄積されている画像データをポーリング受信するという「ポーリング受信機能」を備えているものがある。
【０００５】
ところが、この種のファクシミリ装置では、すでにプリント待ち文書が多数存在するような場合に、ポーリングを行うと、ポーリング文書の印字は先に格納されているプリント待ち文書の印字を行った後でないと開始されないという面があった。
【０００６】
そのため、ポーリングを要求したユーザーは、自分にとって必要のない受信文書の印字を待たねばならなかった。
【０００７】
この問題に対して、従来、特開平５−１４６４５（以下、「従来技術Ａ」という。）では、受信したものの中で印字を行っていない文書を表示器に表示して、印字優先度を変更することができるファクシミリ装置が提案されている。
【０００８】
この従来技術Ａによれば、表示器に表示された受信文書のうち所望する文書の印字優先度を変更することにより、所望の受信文書を他の受信文書に優先して印字することができる。
【０００９】
しかしながら、上記従来技術Ａでは、ポーリング受信した文書を優先印字させるような場合では、各ポーリング受信した文書毎に優先度を変更しなければならないという欠点がある。
【００１０】
【発明が解決しようとする課題】
上述したように、従来のファクシミリ装置では、すでにプリント待ち文書が多数存在するような場合に、ポーリングを行うと、ポーリング文書の印字は先に格納されているプリント待ち文書の印字を行った後でないと開始されないため、ポーリングを要求したユーザーは、自分にとって必要のない受信文書の印字を待たねばならなかった。
【００１１】
また、従来技術Ａでは、ポーリング受信した文書を優先印字させるような場合では、各ポーリング受信した文書毎に優先度を変更しなければならない。
【００１２】
そこで、本発明は、上記問題を解決し、容易にポーリングにて受信した文書を他の受信文書に優先して印字することができるファクシミリ装置及びその印字制御方法を提供することを目的とする。
【００１３】
【課題を解決するための手段】
上記目的を達成するため、請求項１の発明は、受信した画像データを一旦メモリに蓄積してから印字を行なうメモリ受信機能と、相手局のメモリに蓄積されている画像データをポーリング受信して印字するポーリング受信機能とを有するファクシミリ装置において、前記受信した画像データのなかで前記ポーリング受信した画像データを優先して印字するように制御する印字制御手段を具備することを特徴とする。
【００１４】
また、請求項２の発明は、受信した画像データを一旦メモリに蓄積してから印字を行なうメモリ受信機能と、相手局のメモリに蓄積されている画像データをポーリング受信して印字するポーリング受信機能とを有するファクシミリ装置において、前記受信した画像データを受信した順序で印字する順次印字モードと、前記受信した画像データのなかで前記ポーリング受信した画像データを優先して印字するポーリング画像データ優先印字モードとのいずれか一方を設定する印字モード設定手段と、前記印字モード設定手段により前記順次印字モードが設定されている場合は、前記受信した画像データを受信した順序で印字し、前記ポーリング画像データ優先印字モードが設定されている場合は、前記受信した画像データのなかで前記ポーリング受信した画像データを優先して印字するように制御する印字制御手段とを具備することを特徴とする。
【００１５】
また、請求項３の発明は、請求項２の発明において、前記印字制御手段は、前記受信された画像データにファイル番号情報を付加して印字ジョブを生成するジョブ生成手段と、前記印字モード設定手段により設定された印字モードに従って前記生成された印字ジョブの優先度を管理するジョブ管理手段とを具備することを特徴とする。
【００１６】
また、請求項４の発明は、請求項３の発明において、前記ジョブ管理手段は、前記印字モード設定手段により前記ポーリング画像データ優先印字モードが設定されている場合は、前記受信した画像データのジョブのなかで前記ポーリング受信した画像データの印字ジョブを優先して実行するように管理することを特徴とする。
【００１７】
また、請求項５の発明は、受信した画像データを一旦メモリに蓄積してから印字を行なうメモリ受信機能と、相手局のメモリに蓄積されている画像データをポーリング受信して印字するポーリング受信機能とを有するファクシミリ装置の印字制御方法において、前記受信した画像データのなかで前記ポーリング受信した画像データを優先して印字するように制御することを特徴とする。
【００１８】
また、請求項６の発明は、受信した画像データを一旦メモリに蓄積してから印字を行なうメモリ受信機能と、相手局のメモリに蓄積されている画像データをポーリング受信して印字するポーリング受信機能とを有するファクシミリ装置の印字制御方法において、前記受信した画像データを受信した順序で印字する順次印字モードと、前記受信した画像データのなかで前記ポーリング受信した画像データを優先して印字するポーリング画像データ優先印字モードとのいずれか一方を印字モード設定手段により設定し、前記印字モード設定手段により前記順次印字モードが設定されている場合は、前記受信した画像データを受信した順序で印字し、前記ポーリング画像データ優先印字モードが設定されている場合は、前記受信した画像データのなかで前記ポーリング受信した画像データを優先して印字するように制御することを特徴とする。
【００１９】
また、請求項７の発明は、請求項６の発明において、前記受信された画像データにファイル番号情報を付加して印字ジョブを生成し、前記設定された印字モードに従って前記生成された印字ジョブの優先度をジョブ管理手段で管理することを特徴とする。
【００２０】
また、請求項８の発明は、請求項７の発明において、前記ジョブ管理手段は、前記印字モードがポーリング画像データ優先印字モードであると判断した場合、前記受信した画像データのジョブのなかで前記ポーリング受信した画像データの印字ジョブを優先して実行するように管理することを特徴とする。
【００２１】
【発明の実施の形態】
以下、本発明に係るファクシミリ装置の一実施の形態を添付図面を参照して詳細に説明する。
【００２２】
図１は、本発明に係わるファクシミリ装置１０のシステム構成を示すブロック図である。
【００２３】
図１に示すように、このファクシミリ装置１０は、テンキー等のハードボタンからなる操作部とＬＣＤ（液晶ディスプレイ）等によるＧＵＩ（グラフィカル・ユーザ・インターフェース）画面であり、タッチパネルとしての表示部を有する操作表示部１１、原稿を画像データとして読み取る画像読み取り部（スキャナ等）１２、画像読み取り部１２から読み込んだ画像データおよび後述する通信制御部１７から受信した画像データを一時的に記憶する画像記憶部１３、記憶した画像データの編集／加工（符号／複号処理、拡大／縮小処理、圧縮／伸長処理）処理を行う画像処理部１４、画像データを記録紙等にマーキングする画像形成部１５、プリント後の用紙を排出して蓄積する画像排出部１６、モデム及び網制御装置（ＮＣＵ）を有し、図示しないディジタル網あるいはアナログ網に接続して通信処理を行う通信制御部１７、ファクシミリ装置１０全体を制御する制御ソフトウェアを記憶するＲＯＭ１８、ジョブの作成及びジョブキューの管理等を行なうジョブ管理部１９、不揮発性メモリから構成され、本発明でのポーリングにて受信した画像データを優先して印字するための「ポーリング画像データ優先印字モード」と従来通り順次印字を行う「順次印字モード」の各印字モードに関する情報を記憶する印字モード記憶部２０、またこれら各構成部の共通路であるシステムバス２１を介して、上述した各構成部を制御する主制御部２２から構成されている。
【００２４】
図２は、図１に示す操作表示部１１上での印字モード設定画面１１０の一表示例を示す図であり、この印字モード設定画面１１０は、従来通り受信した順序で印字する「順次印字モード」とポーリングにて受信した文書を他に優先して印字する「ポーリング画像データ優先印字モード」のいずれか一方を選択指定するための設定画面である。
【００２５】
図２に示すように、この印字モード設定画面１１０には、順次印字モードを設定するための機能ボタンである「順次印字」ボタンと、ポーリングにて受信した文書を他に優先して印字するポーリング画像データ優先印字モードを設定するための機能ボタンである「ポーリング文書を優先」ボタンが表示されている。
【００２６】
尚、この例では、ユーザによって「ポーリング文書を優先」ボタンが選択押下された場合を示しており、「ポーリング文書を優先」ボタンがハイライトされ、「順次印字」ボタンの方にシェードがかけられた状態である。これにより、画像データ印刷装置１では、ポーリング画像データ優先印字モードが設定されたことになる。
【００２７】
なお、ユーザが、この印字モード設定画面１１０を用いて、設定操作を行うと、ファクシミリ装置１０では、その入力情報を、操作表示部１１内の入力制御部が解析し印字モード設定情報として主制御部２２に送出する。そして、主制御部２２は、この印字モード情報を受け取ると、印字モード記憶部２０にその内容を格納する。
【００２８】
図３は、図１に示すジョブ管理部１９が管理するジョブキュー（待ち行列）内でのジョブの構成を示す概念図である。
【００２９】
図３に示すように、このジョブでは、ジョブに対応する受信文書を管理するためにアサインしたファイル番号を示す「ファイル番号」情報と、このジョブの次のジョブへのポインタを示す「次のジョブへのポインタ」情報とから構成されており、この例では、それぞれに「００１０」、「１００００Ｈ」が代入された状態を示している。
【００３０】
図４は、同じく、図１に示すジョブ管理部１９が管理するジョブキューの構成を示す概念図である。
【００３１】
図４に示すように、このジョブキューは、現在印字実行中のプリントジョブを管理するための実行中キューと、まだ印字を行っていないプリント待ちジョブを管理するためのプリント待ちキューとから構成されている。
【００３２】
尚、通常、ジョブ管理部１９がプリントジョブを生成すると、プリント待ちキューの最後尾にリンクする。また、実行中キューのジョブが終了し、削除されると、プリント待ちキューの先頭にあるジョブが、次に実行中キューにリンクされる。
【００３３】
次に、このような構成による本発明に係わるファクシミリ装置１０の動作について説明する。
【００３４】
図５は、本発明に係わるファクシミリ装置１０のメモリ受信処理の流れを示すフローチャートである。
【００３５】
図５に示すように、まず、この処理を開始する場合、ファクシミリ装置１０では、操作表示部１１のタッチパネルにてポーリング動作の開始が指示されると（ステップ５０１ＹＥＳ）、現在ポーリング実行中を示すポーリングフラグが「ＯＮ」となり（ステップ５０２）、主制御部２２がタッチパネルにより入力された相手局電話番号などのデータを通信制御部１７に通知する。これにより、通信制御部１７が規定のプロトコルに則り相手局からのポーリング文書を受信処理する（ステップ５０３）。
【００３６】
次いで、ファクシミリ装置１０では、受信が完了した後（ステップ５０４）、受信した文書を画像記憶部１３に一時的に記憶する（ステップ５０８）。
【００３７】
画像記憶部１３への記憶が完了すると、次に、主制御部２２が受信文書を管理するためにアサインした「ファイル番号」情報をジョブ管理部１９に渡し、プリントジョブを生成するよう指示する。
【００３８】
この指示に対応して、ジョブ管理部１９が受け取ったデータをもとにプリントジョブを生成する（ステップ５０９）。
【００３９】
その後、ジョブ管理部１９は、生成したプリントジョブをプリント待ちキューにリンクするのだが、このリンクに先立ち、まず、ジョブ管理部１９では、ポーリングフラグが「ＯＮ」であるか否を判定し（ステップ５１０）、ポーリングフラグが「ＯＮ」でない場合（ステップ５１０ＮＯ）、生成したプリントジョブをプリント待ちキューの最後尾にリンクし（ステップ５１４）、この処理を終了する。
【００４０】
他方、ポーリングフラグが「ＯＮ」である場合（ステップ５１０ＹＥＳ）、次に、ジョブ管理部１９は、印字モード記憶部２０に記憶されている「印字モード」情報を参照して、現在の印字モードが順次印字モードであるか否かを判定する（ステップ５１１）。
【００４１】
この判定の結果、印字モードが「順次印字モードである」、つまり印字モードが「ポーリング優先印字モードでない」と判定された場合（ステップ５１１ＹＥＳ）、ジョブ管理部１９は、上述のステップ５１４と同様の処理を行ない、この処理を終了する。
【００４２】
一方、上記ステップ５１１の判定の結果、印字モードが「順次印字モードでない」、つまり印字モードが「ポーリング優先印字モードである」と判定された場合は（ステップ５１１ＮＯ）、ジョブ管理部１９は、生成したジョブをプリント待ちキューの先頭にリンクする（ステップ５１２）。
【００４３】
その後、ポーリングフラグを「ＯＦＦ」にセットして（ステップ５１３）、この処理を終了する。
【００４４】
尚、上記ステップ５０１で、ポーリング操作が無い場合（ステップ５０１ＮＯ）、ファクシミリ装置１０では、ＦＡＸ自動受信が開始されれば（ステップ５０５ＹＥＳ）、自動受信文書の受信処理を行ない（ステップ５０６）、その自動受信文書の受信が完了した後（ステップ５０７ＹＥＳ）、上述したステップ５０８に移行して以下同様の処理を行なう。
【００４５】
図６は、本発明に係わるファクシミリ装置１０の受信文書印字時の処理の流れを示すフローチャートである。
【００４６】
図６において、この処理は、ファクシミリ装置１０の電源がＯＮされたと同時に開始される。
【００４７】
まず、ファクシミリ装置１０では、他のファクシミリ装置からの文書を受信完了した時点で（ステップ６０１ＹＥＳ）、ジョブ管理部１９が実行中キュー内をチェックし、プリントジョブが存在するか否かを判定するか（ステップ６０３）、ある１つの文書の印字が完了した時点で（ステップ６０２）、ジョブ管理部１９がプリント待ちキュー内をチェックし、プリントジョブが存在するか否かを判定する（ステップ６０４）。
【００４８】
そして、上記判定の結果、実行中キュー内にプリントジョブが存在せず、プリント待ちキュー内にプリントジョブが存在すると判定された場合（ステップ６０３ＮＯ、６０４ＹＥＳ）、ジョブ管理部１９は、プリント待ちキューの先頭のジョブを実行中キューに移動し（ステップ６０５）、印字を開始する（ステップ６０６）。
【００４９】
このように、上述した構成によれば、ポーリング画像データ優先印字モードを設け、ポーリング受信した文書のプリントジョブを、常にプリント待ちキューの先頭にリンクするようにしたため、通常のＦＡＸ受信文書を印字するためのプリント待ちジョブが多数存在する場合でも、ポーリング受信した文書のプリントジョブを他のプリント待ちジョブに優先してプリント待ちキューの先頭にリンクすることができ、それにより、ポーリングにて受信した文書を他の受信文書に優先して印字することができ、これにより、ポーリングを要求したユーザは、他の受信文書の印字を待つことなく所望のポーリング文書を取得することができる。
【００５０】
また、この構成によれば、従来のように、受信文書毎に優先指定しなくても、容易にポーリング受信した文書を、他の受信文書に優先して印字することができる。
【００５１】
尚、上記実施例においては、順次印字モードとポーリング画像データ優先印字モードとを切り替えているが、本発明は、これに限るものではなく、印字モードを切換えずに常にポーリング画像データを優先して印字するようにしても良いものとする。
【００５２】
また、ポーリング受信したデータをすぐに印字するのなら、ポーリング受信の時に、メモリ受信機能を用いる必要はない。
【００５３】
【発明の効果】
以上説明したように、本発明によれば、ポーリング受信した画像データを他のメモリ受信した画像データに優先して印字を制御するようにしたため、常に、ポーリングにて受信した画像データを他のメモリ受信した画像データに優先して印字することができる。
【００５４】
また、本発明によれば、メモリ受信した画像データを受信した順序で印字する順次印字モードと、ポーリング受信した画像データを他のメモリ受信した画像データに優先して印字するポーリング画像データ優先印字モードとのいずれか一方を設定し、メモリ受信した画像データを設定された印字モードに従って印字を制御するようにしたため、ポーリングにて受信した画像データを他のメモリ受信した画像データに優先して印字したい場合、印字モードをポーリング画像データ優先印字モードに設定することで、ポーリングを要求したユーザは、他の画像データの印字を待つことなく所望するポーリング文書をすぐに取得することができる。
【００５５】
また、本発明によれば、従来のように、受信文書毎に優先指定しなくても、容易にポーリング受信した文書を他の受信文書に優先して印字することができる。
【図面の簡単な説明】
【図１】本発明に係わるファクシミリ装置１０のシステム構成を示す図。
【図２】図１に示す操作表示部１１上での印字モード設定画面１１０の一表示例を示す図。
【図３】図１に示すジョブ管理部１９が管理するジョブキュー内でのジョブの構成を示す概念図。
【図４】図１に示すジョブ管理部１９が管理するジョブキューの構成を示す概念図。
【図５】本発明に係わるファクシミリ装置１０のメモリ受信処理の流れを示すフローチャート。
【図６】本発明に係わるファクシミリ装置１０の受信文書印字時の処理の流れを示すフローチャート。
【符号の説明】
１０…ファクシミリ装置、１１…操作表示部、１２…画像読み取り部、１３…画像記憶部、１４…画像処理部、１５…画像形成部、１６…画像排出部、１７…通信制御部、１８…ＲＯＭ、１９…ジョブ管理部、２０…印字モード記憶部、２１…システムバス、２２…主制御部
【図１】
0003557885.tif 000002
【図２】
0003557885.tif 000003
【図３】
0003557885.tif 000004
【図４】
0003557885.tif 000005
【図５】
0003557885.tif 000006
【図６】
0003557885.tif 000007